(57)【要約】【解決課題】  本発明の目的は、記載の種類の新たなチップを創造することであり、その際横辺にある隅側の著しく湾曲した半径切れ刃は僅かに彎曲した切れ刃と区別され、かつ半径切れ刃による一方の運転と、僅かに彎曲した切れ刃による運転とでは、チップの明らかに区別できる傾斜位置が必要とされる。【課題を解決するための手段】  機械的なフライス加工のためのそのようなチップは、基本形として平行四辺形を有し、その縦辺に沿って直線切れ刃が形成されている。これに半径切れ刃が続き、この半径切れ刃は、平行四辺形の小さい隅角の隅に位置しかつ平行四辺形の横辺の領域にある縁に移行する。フライス加工工程のために平行四辺形状の横辺も利用することができるために、平行四辺形の横辺に、凸状の湾曲部を有する切れ刃が配設され、その少なくとも１つの曲率半径は半径切れ刃の曲率半径の何倍かの大きさである。これらの僅かに湾曲した切れ刃と半径切れ刃との間に凹状の湾曲した縁領域がある。
2007503320.tif 000002
【特許請求の範囲】
【請求項１】
平行四辺形を基本形状とする機械的なフライス削りのためのエンドミル用のチップであって、平行四辺形の縦辺に沿って直線の切れ刃（１）が形成されており、この切れ刃には半径切れ刃（２）が続き、半径切れ刃は平行四辺形の小さな隅角に位置し、平行四辺形の横辺には、凸状に湾曲した切れ刃（３）が設けられており、その少なくとも１つの曲率半径（Ｒ２）が半径切れ刃（２）の曲率半径（Ｒ１）の何倍かの大きさである、前記チップにおいて、
平行四辺形の横辺で、半径切れ刃（２）と凸状に湾曲した切れ刃（３）との間に、凹状に湾曲した縁領域（４）があり、その際チップの各傾斜位置毎に、各横辺にある半径切れ刃（２）又は凸状に湾曲した切れ刃（３）が工作物に切り込むことを特徴とする前記チップ。
【請求項２】
横辺にある凸状に湾曲した切れ刃（３）が、連続的に半径切れ刃（２）に続いていることを特徴とする、請求項１に記載のチップ。
【請求項３】
横辺にある凸状に彎曲した切れ刃（３）による加工の際の傾斜位置に関して、この切れ刃（３）の接線（Ｔ１）とこの接線に垂直な線が通る平行四辺形の中心点（Ｍ）との距離が、上記接線（Ｔ１）と平行でそれぞれ隣接する半径切れ刃（２）の接線（Ｔ２）と前記中心点（Ｍ）との距離よりも大きいことを特徴とする請求項１又は２に記載のチップ。
【発明の詳細な説明】
【技術分野】
【０００１】
本発明は、機械的フライス削りのためのエンドミル用の平行四辺形を基本形とするチップであって、平行四辺形の縦辺に沿って直線の切れ刃が形成され、この直線状の切れ刃には平行四辺形の小さい隅角に位置する半径切れ刃が続いている、前記チップに関するものである。さらに、平行四辺形の横辺には、凸状に彎曲した切れ刃（３）が配設されており、その少なくとも１つの曲率半径が半径切れ刃の曲率半径よりも何倍か大きい。
【背景技術】
【０００２】
上記の種類のチップは、特許文献１（米国特許第６４１３０２３Ｂ１号明細書）から公知である。そのようなチップは、エンドミルの工具ホルダに取り外し可能に固定され、そのようなチップは、両直線切れ刃又は相異なるフライス作業のために設けられる彎曲した切れ刃の１つを選択的に利用するために、交換可能かつ転回可能でもある。直線の縦辺の切れ刃の１つの使用は、互いに平行な切れ刃がエンドミルの回転軸線と平行に位置するエンドミルにおける切れ刃の整向を必要とする。このことは、チップのいわゆる垂直位置に相応し、このチップによって直線切れ刃に平行に向けられた工作物壁を加工することが可能になる。彎曲した切れ刃による工作物加工のために、チップの該当する平行四辺形−横辺にある半径切れ刃又は僅かに彎曲した切れ刃を工作物に切り込ませるために、チップは垂直位置から斜め位置にずらされる。
【０００３】
半径切れ刃の比較的小さな幾何学的形状のために、半径切れ刃によってのみ切れ刃の該当する傾斜した運転における僅かな切削しか実施されず、従って、この際半径切れ刃によって、通常の方法で仕上加工が行われた。切れ刃の相応した著しく傾斜した位置では、特に、フライス軸線に対して垂直に延びる工作物面を粗削りすることができるために、横辺にある僅かな湾曲の切れ刃が工作物に切り込むようになる。チップの横辺の僅かに湾曲した切れ刃は、隅側の半径切れ刃に対して大きな曲率半径を有するのみならず、僅かに湾曲した切れ刃は半径切れ刃よりも著しく長くも形成されることができる。それによって僅かに湾曲した切れ刃によって著しく湾曲した半径切れ刃によるよりも遙に高い切削が達成されることができる。
【０００４】
公知の切れ刃では、凸状に著しく彎曲した半径切れ刃の部分が一般的に切れ刃ー横辺の切れ刃の僅かに凸状に彎曲した部分に移行し、相応して曲率半径は常に各半径切れ刃から離れるように増大する。チップー横辺にある僅かに彎曲した切れ刃に対する半径切れ刃の特定された区別は存在しない。
【特許文献１】米国特許第６，４１３，０２３号明細書
【発明の開示】
【発明が解決しようとする課題】
【０００５】
従って、本発明は、記載の種類の新たな切れ刃を創造することであり、その際横辺における僅かに彎曲した切れ刃は著しく彎曲した隅側の切れ刃とは区別されており、かつ一方ではこの半径切れ刃による運転と、他方では僅かに彎曲した切れ刃による運転とでは、チップの相異なる傾斜位置を必要とする。
【課題を解決するための手段】
【０００６】
本発明によれば、この課題は、横辺における半径切れ刃と凸状に彎曲した切れ刃との間に凹状に彎曲した縁領域が存在し、その際チップの傾斜位置に従って、各横辺にある半径切れ刃か又は凸状に彎曲した切れ刃が工作物に切り込むことによって解決される。
【発明の効果】
【０００７】
本発明によるエンドミル用のチップによって誤加工が防止できる。
【０００８】
本発明にとって、チップー横辺における半径切れ刃と他の僅かに彎曲した切れ刃との間の領域が、各横辺にある半径切れ刃によってのみ工作物への切り込みが行わせるか、又は僅かに湾曲した他の切れ刃によってのみ工作物への切り込みを行わせるかを可能にすることが、本質的なことである。これによって誤加工が容易に防止されることができる。
【０００９】
本発明の有利な実施形態の特徴は、従属請求項に記載されている。
【発明を実施するための最良の形態】
【００１０】
基本形を平行四辺形とする本発明によるエンドミル用のチップの最良の実施形態は以下の実施例に示す通りである。
【実施例】
【００１１】
本発明を次に実施例を示す図面に基づいて詳しく説明する。
【００１２】
詳細には、図１及び２において、実質的に平行四辺形に相応するチップの輪郭が示され、そこでは湾曲した横辺の構成が明らかであり、これを次に詳しく説明する。チップは、切れ刃１として形成された互いに平行な縦縁を有する。それによって、フライス加工が、チップの垂直位置においても実施されることができる。図示しないこの位置において、チップの縦中心線Ｂはフライスの回転軸線Ａと交差する。
【００１３】
基本形とする平行四辺形に相応して、チップは、９０°よりも大きな隅角と、９０°よりも小さい隅角とを有する。小さい隅角の隅では、チップは、比較的強い湾曲の曲率半径を有する。曲率半径Ｒ１は相応して小さい。半径切れ刃２は、縦側の切れ刃１の延長部にあり、かつ半径切れ刃２はチップの各隅を取り囲むように形成されている。
【００１４】
チップの平行四辺形の湾曲した短い横辺で半径切れ刃が始まり、半径切れ刃は外側に凸状に湾曲し、相応して負の曲率半径を有する凹状に湾曲した縁領域４に移行する。この湾曲領域４にはチップ−横辺の僅かに湾曲した切れ刃３が続いており、この切れ刃３は円形状の湾曲の場合に、半径切れ刃２の曲率半径Ｒ１よりも本質的に大きな曲率半径Ｒ２を有する。
【００１５】
チップの半径切れ刃２と横辺ー切れ刃３とによって、切れ刃の互いに相異なる傾斜位置を必要とする相異なるフライス加工が実施される。半径切れ刃２によって加工が行われる場合に、チップは図１に表わすように僅かな角度αだけ傾けられる。角度αは、フライスの回転軸線Ａとチップの縦中心線Ｂとの間に生ずる。横辺−切れ刃３の１つでフライス加工をする場合に、フライス軸線Ａに対するチップの傾斜位置は増大され、かつフライス軸線Ａとチップの縦中心線Ｂとの間の角度βは、図２に示すように生ずる。
【００１６】
実際の実施においては、冒頭に述べた種類のチップは長さが略１２ｍｍで、幅が殆ど７ｍｍである。半径切れ刃２の曲率半径Ｒ１は１ｍｍで、横辺ー切れ刃３の曲率半径Ｒ２は殆ど６ｍｍであり、これは曲率半径Ｒ１の６倍である。横辺ー切れ刃３の長さはチップの横辺の長さの略四分の三であり、これに略２ｍｍの曲率半径の負の湾曲領域４が続いている。チップのそのような幾何学的形状では、半径切れ刃２を使用するフライス加工の場合、５°の傾斜角α（図１）で被加工面との間に略０．２ｍｍの距離Ｃが生じ、従って、使用してない横辺ー切れ刃３の下方に十分な空間がある。これに対してチップの傾斜角度β（図２）の場合には半径切れ刃２の下頂点と被加工面との間に０．３３ｍｍの距離Ｄが生じ、その結果この場合には半径切れ刃２の下方に十分な空間が与えられる。
【００１７】
基本的にチップの傾斜角αでの前述の距離Ｃ及び傾斜角βでの前述の距離Ｄは、図２に表わされた接線Ｔ１とＴ２から、接線Ｔ２は接線Ｔ１よりもチップの中心点Ｍに近い距離にあることによって生ずる。この定義に関しては、僅かに湾曲した横辺−切れ刃の接線Ｔ１がこの接線Ｔ１上の垂線がチップの中心点Ｍを通るように設定されることが重要である。その結果この接線Ｔ１に対するこの垂線の裾角度が９０°である。さらに、この定義に関して、半径切れ刃２における接線Ｔ２が接線Ｔ１に対して平行な接線であることが重要である。
【産業上の利用可能性】
【００１８】
本発明はフライス加工における誤加工をなくし、精密加工を要するフライス加工分野に広く利用可能である。
【図面の簡単な説明】
【００１９】
【図１】図１は、本発明によるエンドミル用のチップの正面図であって、隅側の半径切れ刃による切削工程のための傾斜位置を示す図である。
【図２】図２は、チップの同一の正面図であって、チップの横辺の切れ刃によるフライス加工のためのチップの第２の傾斜位置を示す図である。
【符号の説明】
【００２０】
１    縦辺の切れ刃
２    半径切れ刃
３    横辺の切れ刃
４    凹状の縁領域
Ａ    フライスの回転軸線
Ｂ    チップの縦中心線
【図１】
2007503320.tif 000003
【図２】
2007503320.tif 000004
【国際調査報告】
2007503320.tif 000005
2007503320.tif 000006
2007503320.tif 000007
2007503320.tif 000008